(57)【要約】      （修正有）【課題】機種が削減可能な光源ユニットを配設する照明器具を提供する。【解決手段】照明器具１は、２個の光源ユニット５が配設された器具本体２と、取付孔が形成された平面状の水平部２１および水平部２１の両端から垂下する一対の垂下部２２を有する。水平部２１が２個の光源ユニット５の中間で器具本体２を跨ぐように一対の垂下部２２が器具本体２の両側に取り付けられた支持部材３と、隣接する光源ユニット５の間が等間隔となるように水平部２１が器具本体２を跨ぐ方向で並設された２個の器具本体２において取付孔２４を介して水平部２１を取り付け、造営物２９に取り付けられることにより支持部材３を介して２個の器具本体２を吊持する取付部材４と、を具備している。【選択図】図１
2017107640.tif 000002
【特許請求の範囲】
【請求項１】
２個の光源ユニットが配設された器具本体と；  取付孔が形成された平面状の水平部およびこの水平部の両端から垂下する一対の垂下部を有し、前記水平部が前記２個の光源ユニットの中間で前記器具本体を跨ぐように前記一対の垂下部が前記器具本体の両側に取り付けられた支持部材と；  隣接する前記光源ユニットの間が等間隔となるように前記水平部が前記器具本体を跨ぐ方向で並設された２個の前記器具本体において前記取付孔を介して前記水平部を取り付け、造営物に取り付けられることにより前記支持部材を介して前記２個の器具本体を吊持する取付部材と；を具備していることを特徴とする照明器具。
【請求項２】
前記取付部材は、前記支持部材の前記水平部を取り付ける連結部および造営物に取り付けられる固定部を有し、前記連結部が前記固定部に搖動可能に取り付けられて固定され、かつ、前記器具本体は、前記支持部材の前記一対の垂下部に搖動可能に取り付けられて固定されていることを特徴とする請求項１記載の照明器具。
【発明の詳細な説明】
【技術分野】
【０００１】
本発明の実施形態は、高天井などの構造物に吊持される照明器具に関する。
【背景技術】
【０００２】
照明器具は、現今、光源としてＬＥＤ等の半導体発光素子が用いられている。そして、体育館や多目的ホールなどの高天井用照明器具には、例えば多数個のＬＥＤを搭載するヒートシンク構造の光源ユニット（照明ユニット）が配設され、大光束の照明光を確保するとともにＬＥＤから発生する大容量の熱を放熱させているものがある。光源ユニットは、例えば、基板およびこの基板に実装されたＬＥＤを有するＬＥＤモジュールと、高熱伝導率を有するベース部およびこのベース部の背面に形成された放熱フィンを有する放熱器（ヒートシンク）とを有してなり、ベース部の前面にＬＥＤモジュールが配設されている。  
【０００３】
高天井用照明器具は、天井面や天井側の構造物、あるいは昇降装置に取り付けられている。そして、高天井用照明器具は、床面側の大きさや形状等により、１個の光源ユニットを配設し（例えば特許文献１参照。）、２個の光源ユニットを配設し、あるいは４個の光源ユニットを配設している（例えば特許文献２参照。）。４個の光源ユニットを有する照明器具は、４個の光源ユニットが照明器具の中心軸に対して回転対称に設けられており、四方への照明光が均等となるようにしている。
【先行技術文献】
【特許文献】
【０００４】
【特許文献１】特開２０１５−１１１５４０号公報（第６頁、第１図）
【特許文献２】特開２０１３−２０１０８０号公報（第４頁、第２図）
【発明の概要】
【発明が解決しようとする課題】
【０００５】
光源ユニットを有する照明器具は、少なくとも光源ユニットの数量に応じた機種を備える。そして、高天井用照明器具は、光源ユニットが多数個のＬＥＤを搭載することにより大型化しており、器具自体も大型化している。そして、光源ユニットの数量が多くなるほど、照明器具が大型化し、在庫管理やその費用、労力が多大になっている。
【０００６】
本発明の実施形態は、機種が削減可能な光源ユニットを配設する照明器具を提供することを目的とする。
【課題を解決するための手段】
【０００７】
本実施形態の照明器具は、器具本体、支持部材および取付部材を有して構成される。器具本体は、２個の光源ユニットが配設されている。  
【０００８】
支持部材は、平面状の水平部および一対の垂下部を有して形成されている。水平部は、取付部材に取り付けるための取付孔が形成されている。一対の垂下部は、水平部の両端から垂下して互いに対向している。そして、支持部材は、水平部が２個の光源ユニットの中間で器具本体を跨ぐようにして、一対の垂下部が器具本体の両側に取り付けられている。  
【０００９】
取付部材は、支持部材の取付孔を介して水平部を取り付けて、造営物に取り付けられることにより支持部材を介して２個の器具本体を吊持している。このとき、２個の器具本体は、隣接する光源ユニットの間が等間隔となるように支持部材の水平部が器具本体を跨ぐ方向で並設されている。
【発明の効果】
【００１０】
本実施形態の照明器具によれば、１個の器具本体は、支持部材の取付孔で造営物に取り付けることにより２個の光源ユニットを有する照明器具となり、２個の器具本体は、取付部材に支持部材の取付孔を介して水平部が取り付けられることにより４個の光源ユニットを有する照明器具となるので、４個の光源ユニットを配設する専用の照明器具の代替品となることが期待できる。
【図面の簡単な説明】
【００１１】
【図１】本発明の一実施形態を示す照明器具の一部切り欠き概略側面図である。
【図２】同上、照明器具の概略正面図である。
【図３】同上、照明器具の概略下面図である。
【図４】同上、照明器具の概略上面図である。
【図５】同上、取付部材を取り付ける前の照明器具の概略上面図である。
【発明を実施するための形態】
【００１２】
以下、本発明の一実施の形態について、図面を参照して説明する。  
【００１３】
本実施形態の照明器具１は、例えば高天井に取り付けられるものであり、図１〜図５に示すように構成されている。図中、２は器具本体、３は支持部材、４は取付部材、５は光源ユニットである。照明器具１は、取付部材５が例えば高天井の造営物（構造物）に固定され、器具本体２の向きを変えることにより照射方向を変えることができるように形成されている。  
【００１４】
器具本体２は、例えば厚さ１．２ｍｍの鋼板により形成されている。そして、器具本体２は、図２または図３に示すように、２個の光源ユニット５を連結板７や不図示の連結棒などにより結合して構成され、全体として長方形の略箱状または枠体に形成されており、内部に２個の光源ユニット５を配設している。光源ユニット５は、複数のねじ８などにより器具本体２に取り付けられている。  
【００１５】
光源ユニット５は、図３に示すように、前面側が正四角形のベース部９および４個の光源としてのＬＥＤモジュール１０を有して形成されている。ＬＥＤモジュール１０は、四角形状の基板１１、この基板１１上にマトリックス状に実装された多数個のＬＥＤ素子１２およびこのＬＥＤ素子１２を覆うように設けられたレンズ１３を有して形成されている。ＬＥＤ素子１２は、例えば白色光を放射するものである。  
【００１６】
４個のＬＥＤモジュール１０は、例えば正四角形を形成するようにベース部９の前面側に密接して取り付けられている。ベース部９の背面側は、図１に示すように、複数個の板状の放熱器（放熱板）１４が一定間隔で突設されている。ベース部９は、熱伝導性の良好な金属例えばアルミニウム（Ａｌ）からなり、例えばダイキャストにより形成されている。  
【００１７】
そして、器具本体２の上板２ａには、図２に示すように、その長手方向に沿うように電源箱６が配設されている。電源箱６は、複数個の取付部６ａを有する長方形の箱状に形成され、取付部６ａにおいてねじ１５により器具本体２の上板２ａに取り付けられている。電源箱６内には、ＬＥＤモジュール１０のＬＥＤ素子１２を点灯する不図示の点灯装置が設けられている。点灯装置は、交流電源を直流電源に変換してＬＥＤ素子１２に定電流を供給する既知の回路構成により形成されている。電源箱６には、外部電源からの不図示の電源コードおよびＬＥＤモジュール１０に接続される不図示の出力コードがそれぞれ導入されている。  
【００１８】
器具本体２の短手方向の両側には、所定の幅を有する一対の取付板１６，１６が取り付けられている。一対の取付板１６，１６は、本実施形態では、器具本体２の長手方向の中間に取り付けられている。すなわち、一対の取付板１６，１６は、器具本体２に配設された２個の光源ユニット５の中間において器具本体２の両側に取り付けられている。一対の取付板１６，１６は、図１に示すように、例えば1枚の長方形の鋼板をＬ形に折曲して形成されている。その鋼板の厚さは、器具本体２と同様に、例えば１．２ｍｍである。そして、一対の取付板１６，１６は、電源箱６を介して正対するとともに電源箱６から所定長離れるようにして、器具本体２の上板２ａに不図示のねじにより取り付けられている。一対の取付板１６，１６は、上記取付けにより器具本体２と一体化している。  
【００１９】
そして、一対の取付板１６，１６は、互いに向き合う内側面にそれぞれ２個のナット１７，１８が設けられている。ナット１７，１８は、取付板１６の内側面に溶接されて固定されている。また、ナット１７，１８は、ナット１８が器具本体２側となるように設けられているとともに、取付板１６の幅方向の中央において取付板１６の突出方向（起立方向）に所定の間隔で設けられている。そして、取付板１６には、ナット１７，１８のそれぞれのねじ孔に連通する不図示の連通孔がそれぞれ形成されている。  
【００２０】
一対の取付板１６，１６には、ボルト１９，２０により支持部材３が取り付けられている。この支持部材３は、例えば厚さ１．２ｍｍの１枚の鋼板を折曲等して形成したものである。すなわち、支持部材３は、平面状の水平部２１、この水平部２１の長手方向両端から垂下して形成された一対の垂下部２２，２２および水平部２１の短手方向両側から一対の垂下部２２，２２側に直角に折曲され、さらに先端側が互いに近づくように直角に折曲されて形成された側片部２３，２３（図１中、一方のみを示す。）を有して形成されている。  
【００２１】
また、支持部材３は、水平部２１および一対の垂下部２２，２２が取付板１６とほぼ同幅に形成されている。そして、水平部２１には、図５に示すように、支持部材３を取付部材４または高天井側の造営物（構造物）に例えばボルトで取り付けるための複数個の取付孔２４および外部電源からの電源コードを電源箱６側に引き込むための電源孔２５が設けられている。  
【００２２】
支持部材３は、図１に示すように、その垂下部２２，２２が一対の取付板１６，１６の外側面に取り付けられている。垂下部２２，２２には、それぞれ取付板１６のナット１７，１８のそれぞれのねじ孔および取付板１６の連通孔に対応した不図示の２個の挿通孔が形成されている。この２個の挿通孔のうち、一方の挿通孔は、ボルト１９の雄ねじ部が挿通する円孔に形成され、他方の挿通孔２６は、図２に示すように、ボルト２０の雄ねじ部が挿通するとともに、支持部材３に対して器具本体２がボルト１９側を支点として搖動可能に円弧状の長孔に形成されている。垂下部２２，２２のそれぞれの先端側は、半円状に形成されている。  
【００２３】
ボルト２０は、図１に示すように、取付板１６のナット１８にねじ込まれている。ここで、ボルト２０は、その頭部２０ａと垂下部２２との間に、座金２７およびワッシャー２８を介在させている。ボルト２０は、その頭部２０と取付板１６のナット１８とにより、座金２７よびワッシャー２８を介して取付板１６および支持部材３の垂下部２２を強固に挟持するように、ナット１８に完全にかつ強くねじ込まれている。これにより、ボルト２０，２０は、支持部材３に一対の取付板１６，１６を固定している。すなわち、支持部材３は、一対の取付板１６，１６を介して器具本体２を支持している。  
【００２４】
また、取付板１６のナット１７には、ボルト１９が取り付けられている。ボルト１９は、スペーサ２９、垂下部２２および取付板１６を介して取付板１６のナット１７にねじ込まれている。また、ボルト１９は、その頭部１９ａと取付板１６との間でスペーサ２９を挟持するとともに、取付板１６が搖動可能にナット１７のねじ孔にねじ込まれている。これにより、ボルト１７，１７は、スペーサ２９，２９を介して支持部材３に一対の取付板１６，１６（器具本体２）を支持している。スペーサ２９は、例えば鋼板からなり、ボルト１９を通す円筒状に形成されている。  
【００２５】
こうして、支持部材３は、一対の垂下部２２，２２が器具本体２の短手方向両端に取り付けられた一対の取付板１６，１６に取り付けられることにより、その水平部２１が２個の光源ユニット５の中間で器具本体２をその短手方向で跨ぐように設けられている。そして、一対の取付板１６，１６を一対の垂下部２２，２２の挿通孔２６，２６で搖動してボルト２０，２０で取り付けることにより、支持部材３に対して器具本体２の向き、すなわち光源ユニット５の照射方向を可変可能にしている。当該照射方向の可変は、一対の垂下部２２，２２に対して例えば±３０°である。  
【００２６】
そして、本実施形態では、支持部材３に取付部材４が取り付けられている。取付部材４は、並設された２個の器具本体２を高天井側の造営物（構造物）２９に吊持するものである。取付部材４は、支持部材３を取り付ける連結部３０および造営物２９に取り付けられる固定部３１に形成されている。これら連結部３０および固定部３１は、それぞれ支持部材３とほぼ同幅に形成されている。  
【００２７】
連結部３０は、長尺状の平面部３２およびこの平面部３２の長手方向両端から正対するように直角に折曲された一対の起立部３３，３３に形成されている。そして、平面部３２の長手寸法は、並設された２個の器具本体２において、隣接する光源ユニット５の間が等間隔となるように設定されている。すなわち、並設された２個の器具本体２の中心に対して、４個の光源ユニット５が９０°回転対称となるように配置され、４個の光源ユニット５により正四角形が形成されるように２個の器具本体２を取り付けている。  
【００２８】
平面部３２には、支持部材３の水平部２１の取付孔２４に対応した連結孔が形成されている。連結部３０は、平面部３２の連結孔および水平部２１の取付孔２４を通したボルト３４およびこのボルト３４を螺着するナット３５により、支持部材３を取り付けている。一対の起立部３３，３３は、器具本体２の一対の取付板１６，１６と同様に、それぞれ挿通孔が形成されているとともに、当該挿通孔に連通して内側面にナット３６，３７が取り付けられている。  
【００２９】
固定部３１は、造営物２９に取り付けられる平坦状の取付部３８、この取付部３８の長手方向両端から正対するように下方に直角に折曲された一対の吊持部３９，３９および取付部３８の短手方向両端から下方に直角に折曲された補強辺部４０を有して形成されている。取付部３８は、複数の取付穴３８ａ（図４に示す。）が所定の間隔で形成されており、当該取付穴３８ａを通したボルト４１およびこのボルト４１を螺着するナット４２により造営物２９に取り付けられている。ここで、複数の取付穴３８ａは、複数列に設けられてもよく、千鳥状に設けられてもよい。また、取付部３８には、造営物２９の背面側から電源コード等を器具本体２側に引き込むための電源穴３８ｂ（図４に示す。）が設けられている。  
【００３０】
一対の吊持部３９，３９は、支持部材３の一対の垂下部２２，２２と同様に上下方向で円孔および長孔３９ａ（図２に示す。）が形成されている。そして、吊持部３９の円孔および起立部３３の挿通孔を通したボルト４３が起立部３３のナット３６にねじ込まれ、吊持部３９の長孔３９ａおよび起立部３３の挿通孔を通したボルト４４が起立部３３のナット３７にねじ込まれている
。ボルト４４がナット３７に完全にねじ込まれることにより、連結部３０は、固定部３１に固定される。こうして、取付部材４は、支持部材３を介して２個の器具本体２を吊持している。  
【００３１】
また、連結部３０は、ボルト４３側を支点として一対の吊持部３９，３９の長孔３９ａに沿って搖動して固定可能となっている。その搖動範囲は、一対の吊持部３９，３９に対して例えば±３０°である。これにより、器具本体２は、光源ユニット５から出射される放射光の照射方向を可変可能となっている。  
【００３２】
次に、本実施形態の作用について説明する。  
【００３３】
１個の器具本体２は、その支持部材３の取付孔２４を介して造営物２９に取り付けられる。これにより、１個の器具本体２は、２個の光源ユニット５を有する照明器具となり、床面側が２個の光源ユニット５からの放射光により照明される。そして、支持部材３の一対の垂下部２２，２２に取り付けられたボルト２０，２０を緩めることにより、器具本体２の一対の取付板１６，１６は、一対の垂下部２２，２２に対して搖動可能となる。そして、所望の搖動位置でボルト２０，２０を完全にかつ強く締め付けることにより、器具本体２は、その向きを可変した状態で固定される。これにより、光源ユニット５の照射方向が可変される。  
【００３４】
そして、２個の器具本体２を並設して、支持部材３の取付孔２４を介して水平部２１を取付部材４の連結部３０に取り付け、取付部材４の固定部３１を造営物２９に取り付け、固定部３１の一対の吊持部３９，３９に連結部３２の起立部３３，３３をボルト４３，４４によって取り付けることができる。これにより、２個の器具本体２は、４個の光源ユニット５を有する照明器具１となる。４個の光源ユニット５は、隣接する間が等間隔で正四角形を形成するように配置されるので、四方にほぼ等量の放射光を放射する。  
【００３５】
そして、固定部３１の一対の吊持部３９，３９に取り付けられたボルト４４，４４を緩めることにより、連結部３０の一対の起立部３３，３３は、一対の吊持部３９，３９に対して搖動可能となる。そして、所望の搖動位置でボルト４４，４４を完全にかつ強く締め付けることにより、連結部３０は、一対の吊持部３９，３９に対して傾斜した状態で固定される。これにより、支持部材３を介して、器具本体２は、その向きが可変されて、光源ユニット５の照射方向が可変される。  
【００３６】
本実施形態の照明器具１によれば、１個の器具本体２は、支持部材３の取付孔２４で造営物２９に取り付けることにより２個の光源ユニット５を有する照明器具となり、２個の器具本体２は、取付部材４に支持部材３の取付孔２４を介して水平部２１が取り付けられることにより４個の光源ユニット５を有する照明器具となるので、４個の光源ユニット５を配設する専用の照明器具の代替品となり、これにより、機種を削減できるという効果を有する。  
【００３７】
また、取付部材４は、支持部材３の水平部２１を取り付ける連結部３０および造営物２９に取り付けられる固定部３１を有し、連結部３０が固定部３１に搖動可能に取り付けられて固定可能であり、器具本体２は、支持部材３の一対の垂下部２２，２２に搖動可能に取り付けられて固定されることにより、光源ユニット５の照射方向を２カ所で可変することができて利便性が向上するという効果を有する。  
【００３８】
なお、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００３９】
１…照明器具、  ２…器具本体、  ３…支持部材、  ４…取付部材、  ５…光源ユニット、  ２１…水平部、  ２２，２２…一対の垂下部、  ２４…取付孔、  ３０…連結部、  ３１…固定部
【図１】
2017107640.tif 000003
【図２】
2017107640.tif 000004
【図３】
2017107640.tif 000005
【図４】
2017107640.tif 000006
【図５】
2017107640.tif 000007